(57)【特許請求の範囲】
【請求項１】
前胴周り域と、後胴周り域と、それら胴周り域の間に位置する股下域とを有し、不透液性ベースシートと、前記ベースシート上に位置する吸液性層と、前記吸液性層の両端縁の外側を横方向へ延びるエンドフラップと、前記吸液性層の両側縁の外側を縦方向へ延びるサイドフラップと、近位部及び遠位部を有し該近位部が前記サイドフラップに固定されていて前記吸液性層の上方へ起き上がる性向を有する一対の弾性的に収縮可能な防漏カフとから構成される使い捨て着用物品において、
前記吸液性層は、吸液性コアの上下面が透液性シートで包まれることで形成され、前記前胴周り域から前記股下域へ向かって延びる第１吸液性層と、吸液性コアが透液性シートと前記ベースシートとの間に介在することで形成され、前記股下域から前記後胴周り域へ向かって延びる第２吸液性層とから構成され、
前記第１吸液性層は、該第１吸液性層の近位部が前記前胴周り域の前端部に固定されるとともに、該第１吸液性層の遠位部が前記ベースシートから上方へ離間し該遠位部の両側縁が前記一対の防漏カフの前記遠位部に固定され、これによって、前記第１吸液性層の前記遠位部が前記ベースシートとの間に開口を有し該開口から前記第１吸液性層の前記近位部の側へ延びる第１排泄収容部を画成していることを特徴とする前記着用物品。
【請求項２】
前胴周り域と、後胴周り域と、それら胴周り域の間に位置する股下域とを有し、不透液性ベースシートと、前記ベースシート上に位置する吸液性層と、前記吸液性層の両端縁の外側を横方向へ延びるエンドフラップと、前記吸液性層の両側縁の外側を縦方向へ延びるサイドフラップと、近位部及び遠位部を有し該近位部が前記サイドフラップに固定され、前記吸液性層の上方へ起き上がる性向を有する一対の弾性的に収縮可能な防漏カフとから構成される使い捨て着用物品において、
前記吸液性層は、吸液性コアの上下面が透液性シートで包まれることで形成され、前記前胴周り域から前記股下域へ向かって延びる第１吸液性層と、吸液性コアの上下面が透液性シートで包まれることで形成され、前記後胴周り域から前記股下域へ向かって延びる第３吸液性層と、吸液性コアが透液性シートと前記ベースシートとの間に介在することで形成され、前記股下域に延びる第４吸液性層とから構成され
前記第１及び第３吸液性層は、該第１及び第３吸液性層の近位部が前記前胴周り域の前端部及び前記後胴周り域の後端部にそれぞれ固定されるとともに、該第１及び第３吸液性層の遠位部が前記ベースシートから上方へ離間し該遠位部の両側縁が前記一対の防漏カフの前記遠位部にそれぞれ固定され、これによって、前記第１及び第３吸液性層の前記遠位部が前記ベースシートとの間に開口を有し該開口から前記第１及び第３吸液性層の前記近位部の側へそれぞれ延びる第１及び第２排泄収容部を画成していることを特徴とする前記着用物品。
【発明の詳細な説明】
【０００１】
【発明の属する技術分野】
本発明は、排泄物を吸収、保持する使い捨て着用物品に関する。
【０００２】
【従来の技術】
特開平８−１９６５６５号公報は、肌当接側に位置する透液性表面シートと、肌非当接側に位置する不透液性裏面シートと、それらシートの間に介在する液吸液性コアとから構成され、縦方向に前胴周り域および後胴周り域と、それら胴周り域の間に位置する股下域とを備え、コアが上下に重なる上層コアと下層コアとからなる使い捨て着用物品を開示している。
【０００３】
上層コアは、前胴周り域から股下域へ向かって延びる前側コアと、後胴周り域から股下域へ向かって延びる後側コアとから形成されている。この着用物品では、前側コアと後側コアとの互いに対向する内端部が股下域において縦方向へ所与寸法離間し、前側コアと後側コアとの上面を覆う表面シートがそれらコアの内端部で下層コアの側へ向かって折曲されるとともに、表面シートが前後側コアの下面に折り込まれている。
【０００４】
この着用物品では、前胴周り域から股下域へ向かって開口可能な第１排泄物収容部が前側コアと下層コアとの間に形成され、後胴周り域から股下域へ向かって開口可能な第２排泄物収容部が後側コアと下層コアとの間に形成されている。この着用物品は、それら排泄物収容部に大便を収容することができるので、着用者の肌に大便が付着してしまうことを防ぐことができるという効果を有する。
【０００５】
【発明が解決しようとする課題】
前記公報に開示の着用物品では、上層コアと下層コアとが物品の前後胴周り域において上下に重なり合っているので、前後胴周り域でのコアの厚み寸法が股下域でのコアのそれよりも大きい。この着用物品では、前後胴周り域においてコアが嵩張るとともに、股下域において上層コアと下層コアとの間に解消不能な段差が形成されるので、物品を着用したときに違和感がある。
【０００６】
また、この着用物品では、前側コアと後側コアとの内端部を下層コアの上方へ離間させるための手段がなく、前後側コアの内端部が下層コアに当接して排泄物収容部がその口を開け難く、それら排泄物収容部に大便を収容することができない場合がある。
【０００７】
本発明の課題は、着用したときの違和感がなく、排泄物収容部に大便を確実に収容することができる使い捨て着用物品を提供することにある。
【０００８】
【課題を解決するための手段】
前記課題を解決するための本発明は、第１発明と第２発明とを含み、前胴周り域と、後胴周り域と、それら胴周り域の間に位置する股下域とを有し、不透液性ベースシートと、前記ベースシート上に位置する吸液性層と、前記吸液性層の両端縁の外側を横方向へ延びるエンドフラップと、前記吸液性層の両側縁の外側を縦方向へ延びるサイドフラップと、近位部及び遠位部を有し該近位部が前記サイドフラップに固定されていて前記吸液性層の上方へ起き上がる性向を有する一対の弾性的に収縮可能な防漏カフとから構成される使い捨て着用物品を対象としている。
【０００９】
前記第１発明は、前記吸液性層が、吸液性コアの上下面が透液性シートで包まれることで形成され、前記前胴周り域から前記股下域へ向かって延びる第１吸液性層と、吸液性コアが透液性シートと前記ベースシートとの間に介在することで形成され、前記股下域から前記後胴周り域へ向かって延びる第２吸液性層とから構成され前記第１吸液性層は、該第１吸液性層の近位部が前記前胴周り域の前端部に固定されるとともに、該第１吸液性層の遠位部が前記ベースシートから上方へ離間し該遠位部の両側縁が前記一対の防漏カフの前記遠位部に固定され、これによって、前記第１吸液性層の前記遠位部が前記ベースシートとの間に開口を有し該開口から前記第１吸液性パネルの前記近位部の側へ延びる第１排泄収容部を画成していることを特徴とする。
【００１０】
【００１１】
前記第２発明は、前記吸液性層が、吸液性コアの上下面が透液性シートで包まれることで形成され、前記前胴周り域から前記股下域へ向かって延びる第１吸液性層と、吸液性コアの上下面が透液性シートで包まれることで形成され、前記後胴周り域から前記股下域へ向かって延びる第３吸液性層と、吸液性コアが透液性シートと前記ベースシートとの間に介在することで形成され、前記股下域に延びる第４吸液性層とから構成され、前記第１及び第３吸液性層は、該第１及び第３吸液性層の近位部が前記前胴周り域の前端部及び前記後胴周り域の後端部にそれぞれ固定されるとともに、該第１及び第３吸液性層の遠位部が前記ベースシートから上方へ離間し該遠位部の両側縁が前記一対の防漏カフの前記遠位部にそれぞれ固定され、これによって、前記第１及び第３吸液性層の前記遠位部が前記ベースシートとの間に開口を有し該開口から前記第１及び第３吸液性層の前記近位部の側へそれぞれ延びる第１及び第２排泄収容部を画成していることを特徴とする。
【００１２】
【００１３】
【発明の実施の形態】
添付の図面を参照し、本発明にかかる使い捨て着用物品の詳細を開放型の使い捨ておむつを例として説明すると、以下のとおりである。
【００１４】
図１，２は、おむつ１Ａの部分破断斜視図と、図１のＡ−Ａ線矢視断面図とであり、図３，４は、図１のＢ−Ｂ線矢視断面図と、着用状態で示す図１のおむつ１Ａの斜視図とである。図１では、横方向を矢印Ｘで示し、縦方向を矢印Ｙで示す。図４では、着用者２２を二点鎖線で示す。なお、第１および第２吸液性層５ａ，５ｂの上面とは、肌当接側に位置する面をいい、それら吸液性層５ａ，５ｂの下面とは、肌非当接側に位置する面をいう。
【００１５】
おむつ１Ａは、不透液性ベースシート４と、ベースシート４上に位置する吸液性層３とを主要な構成部材とする。おむつ１Ａは、それら部材の他に、肌当接側に位置する実質的に不透液性の防漏カフ１３を有する。
【００１６】
おむつ１Ａは、縦方向に前胴周り域６および後胴周り域８と、それら胴周り域６，８の間に位置する股下域７とを備え、吸液性層３の両端縁９の外側を横方向へ延びるエンドフラップ１１と、吸液性層３の両側縁１０の外側を縦方向へ延びるサイドフラップ１２とを有する。おむつ１Ａでは、股下域７に延びるサイドフラップ１２がおむつ１Ａの横方向内方へ向かって弧を画き、その平面形状が実質的に砂時計型を呈する。
【００１７】
透液性シート２は、親水性繊維不織布から形成されている。ベースシート４は、対向面が固着された互いに重なり合う疎水性繊維不織布と通気不透液性プラスチックフィルムとから形成されている。防漏カフ１３は、疎水性繊維不織布から形成されている。
【００１８】
防漏カフ１３は、サイドフラップ１２に位置して股下域７から前後胴周り域６，８へ向かって縦方向へ延びている。カフ１３は、サイドフラップ１２に固定されて縦方向へ延びる近位部１３ａと、吸液性層３の上方へ起立性向を有して縦方向へ延びる遠位部１３ｂと、おむつ１Ａの横方向内方へ倒伏した状態でエンドフラップ１１に固定された両端部１３ｃとを有する。遠位部１３ｂには、縦方向へ延びる伸縮性弾性部材１４が伸長状態で取り付けられている。弾性部材１４は、遠位部１３ｂの一部に被覆されている。
【００１９】
吸液性層３は、おむつ１Ａの内側に位置して股下域７から前後胴周り域６，８ヘ向かって延びている。吸液性層３は、前胴周り域６と股下域７との境界を示す横方向境界線Ｌ１近傍において縦方向へ２つに分かれ、前胴周り域６の側に位置する第１吸液性層５ａと、股下域７と後胴周り域８とに位置する第２吸液性層５ｂとに分割されている。
【００２０】
第１吸液性層５ａのコアは、その上面と下面とを含む全面が透液性シート２に包被されている。第１吸液性層５ａは、前胴周り域６の前端部においてベースシート４に固定されてエンドフラップ１１の側を横方向へ延びる近位部１５と、近位部１５を除く残余の遠位部１６とを有する。遠位部１６は、ベースシート４に固定されておらず、ベースシート４から上方へ離間している。遠位部１６は、その両側縁１０近傍が防漏カフ１３の遠位部１３ｂに固定されている。
【００２１】
第２吸液性層５ｂのコアは、透液性シート２とベースシート４との間に介在し、それらシート２，４のうちの少なくとも一方に固定されている。第２吸液性層５ｂのコアは、その上面が透液性シート２に被覆され、その下面がベースシート４に被覆されている。
【００２２】
エンドフラップ１１には、横方向へ延びる帯状の胴周り用弾性部材１７が伸長状態で取り付けられている。サイドフラップ１２には、縦方向へ延びる複数条の脚周り用弾性部材１８が伸長状態で取り付けられている。後胴周り域８のサイドフラップ１２には、横方向内方へ延びるテープファスナ１９が取り付けられている。前胴周り域６におけるベースシート４の外面には、テープファスナ１９の止着域となる矩形のターゲットテープ２０が取り付けられている。テープファスナ１９は、その自由端部に粘着剤（図示せず）が塗布され、粘着剤を介してサイドフラップ１２に仮着されている。テープファスナ１９とターゲットテープ２０とは、可撓性を有するプラスチックフィルムから形成されている。
【００２３】
おむつ１Ａを着用するには、後胴周り域８のサイドフラップ１２を前胴周り域６のサイドフラップ１２の外側に重ね合わせ、粘着剤を介してテープファスナ１９の自由端部をターゲットテープ２０に止着し、前胴周り域６と後胴周り域８とを連結する。前後胴周り域６，８が連結されたおむつ１Ａには、胴周り開口とその下方に一対の脚周り開口とが形成される。
【００２４】
おむつ１Ａでは、それが透液性シート２を内側にして縦方向へ湾曲すると、弾性部材１４が収縮して防漏カフ１３の遠位部１３ｂが吸液性層３の上方へ起立する。おむつ１Ａでは、起立したカフ１３の遠位部１３ｂが排泄物に対する障壁を形成し、股下域７からの排泄物の漏れを防ぐことができる。
【００２５】
おむつ１Ａでは、ベースシート４と第１吸液性層５ａの遠位部１６との間に前胴周り域６から股下域７へ向かって開口する排泄物収容部２１（第１排泄物収容部）が画成されている。おむつ１Ａでは、起立したカフ１３の遠位部１３ｂによって第１吸液性層５ａの遠位部１６がベースシート４の上方へ持ち上げられるので、第１吸液性層５ａの遠位部１６がベースシート４に当接することはなく、排泄物収容部２１がその口を閉じてしまうことを防ぐことができる。おむつ１Ａでは、排泄物のうちの大便が排泄物収容部２１に収容され、着用者２２の股間部と大便との接触を第１吸液性層５ａが阻止するので、大便が着用者２２の股間部に付着してしまうことを防ぐことができる。
【００２６】
おむつ１Ａでは、第１吸液性層５ａの遠位部１６がベースシート４の上方へ離間することで、第１吸液性層５ａの遠位部１６と第２吸液性層５ｂとの間に段差が生じている。しかし、おむつ１Ａでは、着用者２２の体圧が第１吸液性層５ａにかかると、図４に二点鎖線で示すように、第１吸液性層５ａの遠位部１６と第２吸液性層５ｂとが重なることなく、第１吸液性層５ａの遠位部１６がベースシート４に当接し、それら吸液性層５ａ，５ｂの間に生じた段差が解消される。おむつ１Ａでは、前後胴周り域６，８において吸液性層３が嵩張ることはなく、着用者２２の体圧によって第１吸液性層５ａと第２吸液性層５ｂとの段差が解消されるので、着用したおむつ１Ａに対する違和感がない。
【００２７】
前胴周り域６のエンドフラップ１１では、透液性シート２の端部２ａとベースシート４の端部４ａとが第１吸液性層５ａの端縁９から縦方向外方へ延び、それらシート２，４の端部２ａ，４ａが互いに重なり合った状態で固定されている。後胴周り域８のエンドフラップ１１では、透液性シート２の端部２ａとベースシート４の端部４ａとが第２吸液性層５ｂの端縁９から縦方向外方へ延び、それらシート２，４の端部２ａ，４ａが互いに重なり合った状態で固定されている。胴周り用弾性部材１７は、透液性シート２の端部２ａとベースシート４の端部４ａとの間に介在し、それらシート２，４の端部２ａ，４ａに固定されている。
【００２８】
サイドフラップ１２では、透液性シート２の側部２ｂが第１吸液性層５ａ，と第２吸液性層５ｂとの両側縁１０から横方向外方へわずかに延び、透液性シート２の側部２ｂからさらに横方向外方へベースシート４の側部４ｂと防漏カフ１３の近位部１３ａとが延びている。サイドフラップ１２では、それらシート２，４，１２の側部２ｂ，４ｂ，１３ａが互いに重なり合った状態で固定されている。脚周り用弾性部材１８は、ベースシート４の側部４ｂと防漏カフ１３の近位部１３ａとの間に介在し、それらシート４，１３の側部４ｂ，１３ａに固定されている。
【００２９】
図５，６は、他の実施の形態を示すおむつ１Ｂの部分破断斜視図と、図５のＣ−Ｃ線矢視断面図とである。図５では、横方向を矢印Ｘで示し、縦方向を矢印Ｙで示す。このおむつ１Ｂは、不透液性ベースシート４と、前胴周り域６の側に位置する第１吸液性層５ａと、股下域７と後胴周り域８とに位置する第２吸液性層５ｂとから構成され、サイドフラップ１２を縦方向へ延びる実質的に不透液性の防漏カフ１３を有する点において図１のそれと同一である。このおむつ１Ｂが図１のそれと異なる点は、以下のとおりである。
【００３０】
おむつ１Ｂでは、第１吸液性層５ａのコアを包被する透液性シート２と第２吸液性層５ｂのコアの上面を被覆する透液性シート２とが一連につながっており、透液性シート２が第１吸液性層５ａの遠位部１６から第１吸液性層５ａの下面の側へ向かって折曲されるとともに、第１吸液性層５ａの近位部１５から第２吸液性層５ｂの側へ折り返して後胴周り域８のエンドフラップ１１に達している。透液性シート２は、図６に示すように、第１吸液性層５ａの下面に断面Ｚ字状に折り込まれている。第１吸液性層５ａでは、遠位部１６がベースシート４に固定されておらず、遠位部１６の両側縁１０近傍が防漏カフ１３の遠位部１３ｂに固定されていない。
【００３１】
このおむつ１Ｂでは、大便が股下域７に排泄されると、その質量で第２吸液性層５ｂが着用者２２の股間部から下方へ離間し、図６に仮想線で示すように、第１吸液性層５ａの遠位部１６がベースシート４の上方へ離間する。おむつ１Ｂでは、ベースシート４の上方へ離間した第１吸液性層５ａの遠位部１６とベースシート４との間に前胴周り域６から股下域７へ向かって開口する排泄物収容部２１（第１排泄物収容部）が画成される。おむつ１Ｂでは、大便を排泄物収容部２１に収容することができるので、大便が着用者２２の股間部に付着してしまうことを防ぐことができる。大便が排泄される以前のおむつ１Ｂでは、第１吸液性層５ａと第２吸液性層５ｂとの間に段差が生じることはなく、前後胴周り域６，８においてそれら吸液性層５ａ，５ｂが嵩張ることもないので、着用したおむつ１Ｂに対する違和感がない。
【００３２】
図７，８は、他の実施の形態を示すおむつ１Ｃの部分破断斜視図と、図７のＤ−Ｄ線矢視断面図とであり、図９，１０は、図７のＥ−Ｅ線矢視断面図と、着用状態で示す図７のおむつ１Ｃの斜視図とである。図７では、横方向を矢印Ｘで示し、縦方向を矢印Ｙで示す。図１０では、着用者２２を二点鎖線で示す。
【００３３】
おむつ１Ｃは、不透液性ベースシート４と、吸液性層３とから構成され、実質的に不透液性の防漏カフ１３を有する点において図１のそれと同一である。このおむつ１Ｃが図１のそれと異なる点は、以下のとおりである。
【００３４】
吸液性層３は、前胴周り域６と股下域７との境界を示す横方向境界線Ｌ１近傍と、後胴周り域８と股下域７との境界を示す横方向境界線Ｌ２近傍とにおいて縦方向へ３つに分かれ、前胴周り域６の側に位置する第１吸液性層５ａと、後胴周り域８の側に位置する第３吸液性層５ｃと、股下域７に位置する第４吸液性層５ｄとに分割されている。
【００３５】
第１吸液性層５ａのコアと第３吸液性層５ｃのコアとは、その上面と下面とを含む全面が透液性シート２に包被されている。第１吸液性層５ａと第３吸液性層５ｃとは、ベースシート４に固定されてエンドフラップ１１の側を横方向へ延びる近位部１５と、近位部１５を除く残余の遠位部１６とを有する。それら吸液性層５ａ，５ｃの近位部１５は、ベースシート４に固定されている。それら吸液性層５ａ，５ｃの遠位部１６は、ベースシート４に固定されておらず、ベースシート４から上方へ離間している。それら吸液性層５ａ，５ｃの遠位部１６は、その両側縁１０近傍が防漏カフ１３の遠位部１３ｂに固定されている。
【００３６】
第４吸液性層５ｄのコアは、透液性シート２とベースシート４との間に介在し、それらシート２，４のうちの少なくとも一方に固定されている。第４吸液性層５ｄのコアは、その上面が透液性シート２に被覆され、その下面がベースシート４に被覆されている。第４吸液性層５ｄのコアを被覆する透液性シート２は、エンドフラップ１１まで達しておらず、第４吸液性層５ｄの両端縁から縦方向外方へわずかに延びている。
【００３７】
おむつ１Ｃでは、ベースシート４と第１吸液性層５ａの遠位部１６との間に前胴周り域６から股下域７へ向かって開口する第１排泄物収容部２１が画成され、ベースシート４と第３吸液性層５ｃの遠位部１６との間に後胴周り域８から股下域７へ向かって開口する第２排泄物収容部２３が画成されている。おむつ１Ｃでは、大便がそれら排泄物収容部２１，２３に収容され、着用者２２の股間部と大便との接触をそれら吸液性層５ａ，５ｃが阻止するので、大便が着用者２２の股間部に付着してしまうことを防ぐことができる。このおむつ１Ｃでは、大便が後胴周り域８へ向かって移動したとしても、大便を第２排泄物収容部２３に収容することができるので、前胴周り域６のみならず、後胴周り域８でも大便の付着を防ぐことができる。
【００３８】
おむつ１Ｃでは、起立したカフ１３の遠位部１３ｂによって第１吸液性層５ａと第３吸液性層５ｃとの遠位部１６がベースシート４の上方へ持ち上げられるので、それら吸液性層５ａ，５ｃの遠位部１６がベースシート４に当接することはなく、それら排泄物収容部２１，２３がその口を閉じてしまうことを防ぐことができる。
【００３９】
おむつ１Ｃでは、それら吸液性層５ａ，５ｃの遠位部１６と第４吸液性層５ｄとの間に段差が生じているが、着用者２２の体圧がそれら吸液性層５ａ，５ｃにかかると、図１０に仮想線で示すように、それら吸液性層５ａ，５ｃの遠位部１６と第４吸液性層５ｄとが重なることなく、第１吸液性層５ａと第３吸液性層５ｃとの遠位部１６がベースシート４に当接し、それら吸液性層５ａ，５ｃ，５ｄの段差が解消される。おむつ１Ｃでは、前後胴周り域６，８において吸液性層５ａ，５ｃが嵩張ることはなく、着用者２２の体圧によってそれら吸液性層５ａ，５ｃ，５ｄの段差が解消されるので、着用したおむつ１Ｃに対する違和感がない。
【００４０】
透液性シート２には、親水性繊維不織布の他に、多数の開孔を有する疎水性繊維不織布、微細な多数の開孔を有する透液性プラスチックフィルムのいずれかを使用することができる。ベースシート４には、疎水性繊維不織布と通気不透液性プラスチックフィルムとを重ね合わせた複合シートの他に、疎水性繊維不織布、通気不透液性プラスチックフィルム、疎水性繊維不織布を重ね合わせた複合不織布のいずれかを使用することができる。
【００４１】
ベースシート４や防漏カフ１３には、高い耐水性を有するメルトブローン法による繊維不織布を、高い強度と良好な柔軟性とを有するスパンボンド法による繊維不織布で挟んだ複合不織布を使用することもできる。
【００４２】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４３】
吸液性コアは、フラッフパルプと高吸収性ポリマー粒子との混合物、または、フラッフパルプと高吸収性ポリマー粒子と熱可塑性合成樹脂繊維との混合物であり、所要の厚みに圧縮されている。コアは、それの型崩れやポリマー粒子の脱落を防止するため、全体がティッシュペーパーに被覆されていることが好ましい。ポリマー粒子としては、デンプン系、セルロース系、合成ポリマー系のものを使用することができる。
【００４４】
透液性シート２およびベースシート４の固定や防漏カフ１３の固定、吸液性層３の固定、弾性部材１４，１７，１８の固定には、ホットメルト型接着剤、または、ヒートシールやソニックシール等の熱による溶着手段を利用することができる。
【００４５】
この発明は、着用時に前後胴周り域を連結する開放型のおむつの他に、前後胴周り域があらかじめ連結されて胴周り開口と脚周り開口とが形成されたパンツ型のおむつにも実施することができる。
【００４６】
【発明の効果】
本発明にかかる使い捨て着用物品によれば、大便が股下域に排泄されると、その質量で第３吸液性層が着用者の股間部から下方へ離間するとともに、第１吸液性層の遠位部がベースシートの上方へ離間し、ベースシートと第１吸液性層の遠位部との間に前胴周り域から股下域へ向かって開口する第１排泄物収容部が画成される。この着用物品では、大便を第１排泄物収容部に収容することができるので、大便が着用者の股間部に付着してしまうことを防ぐことができる。大便が排泄される以前の着用物品では、第１吸液性層と第３吸液性層との間に段差が生じることはなく、着用した物品に対する違和感がない。また、この着用物品では、第１排泄物収容部に収容された大便をベースシートの外面から視認することができるので、物品を着用した状態で大便の排泄の有無を確認することができ、物品の交換時の判断が容易である。
【００４７】
第１吸液性層の遠位部両側が防漏カフの遠位部に固定された物品では、起立したカフの遠位部によって第１吸液性層の遠位部がベースシートの上方へ持ち上げられるので、第１吸液性層の遠位部がベースシートに当接することはなく、第１排泄物収容部がその口を閉じてしまうことを防ぐことができ、大便を第１排泄物収容部に確実に収容することができる。この着用物品では、前後胴周り域において吸液性層が嵩張ることはなく、着用者の体圧が第１吸液性層にかかると、第１吸液性層の遠位部と第３吸液性層との間に生じた段差が解消されるので、着用した物品に対する違和感がない。
【００４８】
吸液性層が第１，第３，第４吸液性層に分割された物品では、第１排泄物収容部の他に、ベースシートと第３吸液性層の遠位部との間に後胴周り域から股下域へ向かって開口する第２排泄物収容部が画成される。この物品では、大便を第１排泄物収容部と第２排泄物収容部とに収容することができるので、前胴周り域のみならず、後胴周り域でも大便の付着を防ぐことができる。
【００４９】
吸液性層が第１，第３，第４吸液性層に分割され、かつ、第１吸液性層と第３吸液性層との遠位部両側が防漏カフの遠位部に固定された物品では、起立したカフの遠位部によって第１吸液性層と第３吸液性層との遠位部がベースシートの上方へ持ち上げられるので、第１吸液性層と第３吸液性層との遠位部がベースシートに当接することはなく、それら排泄物収容部がその口を閉じてしまうことを防ぐことができ、大便をそれら排泄物収容部に確実に収容することができる。この着用物品では、前後胴周り域において吸液性層が嵩張ることはなく、着用者の体圧が第１吸液性層と第３吸液性層とにかかると、それら吸液性層の遠位部と第４吸液層との間に生じた段差が解消されるので、着用した物品に対する違和感がない。
【図面の簡単な説明】
【図１】  おむつの部分破断斜視図。
【図２】  図１のＡ−Ａ線矢視断面図。
【図３】  図１のＢ−Ｂ線矢視断面図。
【図４】  着用状態で示す図１のおむつの斜視図。
【図５】  他の実施の形態を示すおむつの部分破断斜視図。
【図６】  図５のＣ−Ｃ線矢視断面図。
【図７】  他の実施の形態を示すおむつの部分破断斜視図。
【図８】  図７のＤ−Ｄ線矢視断面図。
【図９】  図７のＥ−Ｅ線矢視断面図。
【図１０】  着用状態で示す図７のおむつの斜視図。
【符号の説明】
１Ａ          開放型の使い捨ておむつ（使い捨て着用物品）
１Ｂ          開放型の使い捨ておむつ（使い捨て着用物品）
１Ｃ          開放型の使い捨ておむつ（使い捨て着用物品）
２            透液性シート
３            吸液性層
４            不透液性ベースシート
５ａ          第１吸液性層
５ｂ          第２吸液性層
５ｃ          第３吸液性層
５ｄ          第４吸液性層
６            前胴周り域
７            股下域
８            後胴周り域
９            両端縁
１０            両側縁
１１            エンドフラップ
１２            サイドフラップ
１３            防漏カフ
１３ａ          近位部
１３ｂ          遠位部
１３ｃ          両端部
１５            近位部
１６            遠位部
２１            排泄物収容部（第１排泄物収容部）
２３            第２排泄物収容部
【図１】
0003964666.tif 000002
【図２】
0003964666.tif 000003
【図３】
0003964666.tif 000004
【図４】
0003964666.tif 000005
【図５】
0003964666.tif 000006
【図６】
0003964666.tif 000007
【図７】
0003964666.tif 000008
【図８】
0003964666.tif 000009
【図９】
0003964666.tif 000010
【図１０】
0003964666.tif 000011